(57)【特許請求の範囲】
【請求項１】
複数の表示モードのうち、現在設定されている表示モードから他の表示モードへの設定変更を受け付ける受付手段と、受付手段によって受け付けられた表示モードに基づいて画像を出力する出力手段と、を備えた画像出力装置において、
前記出力手段は、前記受付手段による設定変更の受け付けが開始された際、各表示モードに基づく外部から入力された映像の動画像を並べたモード選択用画像を出力し、
前記他の表示モードのうちの１の選択を受け付ける選択手段と、
前記選択手段によって受け付けられた表示モードに設定変更する決定を受け付ける決定手段と、を備えたことを特徴とする画像出力装置。
【請求項２】
前記出力手段は、前記受付手段による設定変更の受け付けが開始された際、現在設定されている表示モードに基づく動画像と、現在設定されていない前記他の表示モードに基づく動画像と、を並べた前記モード選択用画像を出力することを特徴とする請求項１に記載の画像出力装置。
【発明の詳細な説明】
【技術分野】
【０００１】
この発明は、ＳＴＢ（Set Top Box ）やテレビに備えられたチューナ、ＤＶＤ再生装置等の画像を表示装置に出力する画像出力装置に関する。
【背景技術】
【０００２】
ＳＴＢやテレビに備えられたチューナ、ＤＶＤ再生装置等の映像（画像）をテレビ等の表示装置に出力する画像出力装置は、映像の画格（４：３，１６：９等）や表示画面の大きさ等に合わせて最適な表示形式で出力すべく、複数種類のディスプレイモード（表示モード）に対応している。
【０００３】
画像出力装置は、ユーザによって設定されたディスプレイモードに基づいて映像を出力する。ディスプレイモードは、例えば出力すべき映像をアスペクト比１６：９のサイズで表示するＬｅｔｔｅｒｂｏｘモード、出力すべき映像の中心部分を拡大して表示するＺｏｏｍモード、出力すべき映像をアスペクト比４：３のサイズの映像で表示するＦｕｌｌモード等がある。
【０００４】
各ディスプレイモードは、出力すべき映像の画格等に応じて、設定されたディスプレイモードに対応するように映像の拡大等の処理を施す。例えば、画格１６：９の映像を出力する場合、Ｌｅｔｔｅｒｂｏｘモードでは拡大等の処理を行わず出力する。また、画格４：３の映像を出力する場合、Ｌｅｔｔｅｒｂｏｘモードでは、１６：９となるように出力すべき映像を縦方向について縮小する処理を施す。
【０００５】
ユーザは、好みに合わせてリモコン装置等を操作してディスプレイモードの変更を行う。画像出力装置は、映像の再生中にディスプレイモードの変更の開始を受け付けた際、図７に示すように再生している映像に各ディスプレイモードの抽象的なイメージ及び名称を表示して変更したいディスプレイモードの受け付けを行っていた。あるいは、映像の再生中において図８に示すようにディスプレイモードの設定変更の入力を受け付ける毎に、順番にディスプレイモードの設定を変更し、即座に変更されたディスプレイモードに基づく映像を出力していた。
【０００６】
なお、図７に示す各ディスプレイモードのイメージは、出力すべき映像の画格等に応じて変更される。図７及び図８は、出力すべき映像の画格が１６：９である場合のイメージを示す。
【０００７】
また、近年の画像出力装置には、表示する映像の変調方式が高階層の変調方式から低階層の変調方式に切り換えられた時に、表示モードをユーザが選択することができる構成のものがある（例えば、特許文献１参照。）。さらに、１つの遠隔操作装置で複数の画像出力装置をそれぞれ制御し、制御対象の画像出力装置を変更した際に、変更後の画像出力装置のディスプレイモードを変更前の画像出力装置のディスプレイモードに対応するように設定する構成のものもある（例えば、特許文献２参照。）。
【０００８】
しかも、近年の画像出力装置には、写真等の画像を比較するために複数枚の画像のうち選択した２枚の画像を同時に表示する場合に、２枚の画像を表示する第１領域及び第２領域と、各領域に表示すべき画像を選択するためのサムネイル画像を表示する第３領域及び第４領域と、を備え、画像の選択や変更を容易にする構成のものもある（例えば、特許文献３参照。）。
【特許文献１】特開２００２−２７１７０７号公報
【特許文献２】特開２００３−３４８３６９号公報
【特許文献３】特開２００５−９１４３０号公報
【発明の開示】
【発明が解決しようとする課題】
【０００９】
しかしながら、ユーザがディスプレイモードを設定変更する際においては、選択したディスプレイモードに基づく実際の映像が出力されず、ディスプレイモードの設定変更が完了する後までどのような映像が出力されるのかユーザにはイメージが湧かない。そのため、設定変更が完了した後に出力された映像を確認しつつ、設定変更したディスプレイモードが希望するモードか否かを判断しなければならず、手間がかかっていた。
【００１０】
また、図７に示すように各ディスプレイモードのイメージが出力されたとしても、実際に現在再生されている映像が、設定変更しようとしているディスプレイモードに基づいてどのように出力されるかはイメージが湧きにくい。
【００１１】
この発明の目的は、ユーザが複数の表示モードのうちから希望の表示モードを容易に選択できる画像出力装置を提供することにある。
【課題を解決するための手段】
【００１２】
この発明は、上記課題を解決するために以下の構成を備えている。
【００１３】
（１）複数の表示モードのうち、現在設定されている表示モードから他の表示モードへの設定変更を受け付ける受付手段と、受付手段によって受け付けられた表示モードに基づいて画像を出力する出力手段と、を備えた画像出力装置において、
前記出力手段は、前記受付手段による設定変更の受け付けが開始された際、現在設定されている表示モードに基づく画像と、現在設定されていない前記他の表示モードに基づく画像と、を並べたモード選択用画像を出力し、
前記他の表示モードのうちの１の選択を受け付ける選択手段と、
前記選択手段によって受け付けられた表示モードに設定変更する決定を受け付ける決定手段と、を備えたことを特徴とする。
【００１４】
この構成においては、現在設定されている表示モードから他の表示モードへの設定変更の受け付けが開始された際、現在設定されている表示モードに基づく画像と、現在設定されていない他の表示モードに基づく画像とが並んだモード選択用画像が出力される。つまり、同じ画像が異なる表示モードのそれぞれに基づいて処理されて同時に出力される。また、ユーザによって他の表示モードのうちの１つが選択、決定（設定）された後、この設定された表示モードに基づいた画像が出力される。
【００１５】
したがって、現在設定されている表示モードに基づく画像と、他の表示モードに基づく画像とを実際にユーザが見て比較することができ、ユーザが表示モードを選択し易くなる。
【００１６】
（２）前記出力手段は、前記受付手段による設定変更の受け付けが開始された際、各表示モードの画像を並べた前記モード選択用画像を出力することを特徴とする。
【００１７】
この構成においては、現在設定されている表示モードから他の表示モードへの設定変更の受け付けが開始された際、現在設定されている表示モードも含めた各表示モードに基づく画像が出力される。つまり、同じ画像が複数の全ての表示モードのそれぞれに基づいて処理されて同時に出力される。したがって、現在設定されている表示モードに基づく画像と、他の全ての表示モードに基づく画像とをユーザが実際に見て比較することができるので、ユーザが表示モードをより選択し易くなる。
【００１８】
（３）前記出力手段は、前記受付手段による設定変更の受け付けが開始された際、現在設定されている表示モードに基づく動画像と、現在設定されていない前記他の表示モードに基づく動画像と、を並べた前記モード選択用画像を出力することを特徴とする。
【００１９】
この構成においては、現在設定されている表示モードから他の表示モードへの設定変更の受け付けが開始された際、現在設定されている表示モードに基づく動画像と、現在設定されていない他の表示モードに基づく動画像とが並んだモード選択用画像が出力される。つまり、静止画像ではなく同じ動画像が異なる表示モードのそれぞれに基づいて同時に出力される。したがって、動画像が再生されている場合は、静止画像ではなく動画像を現在設定されている表示モード及び他の表示モードに基づいて出力できるので、ユーザが画像をより比較し易く、表示モードをより選択し易くなる。
【発明の効果】
【００２０】
この発明によれば、現在設定されている表示モードに基づく画像と他の表示モードに基づく画像とを実際にユーザが見て比較することができるので、ユーザが表示モードを容易に選択することができる。
【発明を実施するための最良の形態】
【００２１】
以下、この発明の実施形態に係る画像出力装置を適用したＳＴＢについて説明する。
【００２２】
図１は、この発明の実施形態であるＳＴＢの主要部の構成を示すブロック図である。ＳＴＢ１は、ディジタル放送の番組を受信してテレビ受像機２０に出力する画像出力装置である。ＳＴＢ１は、本体の動作を制御する制御部２と、アンテナ１１で受信したテレビ放送信号から選択されているチャンネルで放送されている番組の映像信号および音声信号を抽出する受信部３と、受信部３で抽出された映像信号および音声信号をデコードするデコーダ４と、ＯＳＤ画像を記憶したＯＳＤ画像メモリ５と、を備えている。
【００２３】
また、ＳＴＢ１は、デコーダ４でデコードされた映像信号に基く番組の映像にＯＳＤ画像を重ね合わせた合成映像を生成する合成映像生成部６と、デコーダ４でデコードされた音声信号を出力する音声出力部７と、番組の映像または合成映像を出力する映像出力部８と、入力操作を行う操作部９と、ディスプレイモード（本発明の表示モードに相当する。）等の各種設定値を記憶している記憶部１０と、を備えている。
【００２４】
デコーダ４は、例えばＭＰＥＧ（ＭＰＥＧ２）方式でエンコードされた映像データ、音声データをデコードする。合成映像生成部６は、記憶部１０から読み出されたディスプレイモードの設定値に基づいてデコーダ４から受信した番組の映像に対し拡大等の処理を施す。
【００２５】
本実施形態のＳＴＢ１は、出力すべき映像をアスペクト比１６：９のサイズの映像で表示するＬｅｔｔｅｒｂｏｘモード、出力すべき映像の中心部分を拡大した映像を表示するＺｏｏｍモード、アスペクト比４：３のサイズの映像で表示するＦｕｌｌモードに対応している。
【００２６】
ＯＳＤ画像メモリ５には、ＯＳＤ画像データが記憶されている。操作部９には、入力操作を行う複数のボタンだけでなく、図示しないリモコン装置から送信されてきた制御コードを受信する受信機能を有している。また、操作部９は、ユーザからディスプレイモードの設定変更を受け付ける。音声出力部７及び映像出力部８には、テレビ受像機２０が接続されている。このテレビ受像機２０において、音声出力部７及び映像出力部８から出力された音声信号に基く音声、および映像信号に基く映像を視聴することができる。したがって、映像出力部８が本発明の出力手段に相当する。なお、テレビ受像機２０は、アスペクト比が４：３である。
【００２７】
図２は、ディスプレイモードの設定変更の手順を示す流れ図である。映像を再生している際、操作部９がリモコン装置等を介してディスプレイモードの設定変更の開始を受け付けると、制御部２は、現在設定されているディスプレイモードに基づく映像を縮小して出力する（Ｓ１）。
【００２８】
次に、選択候補となる現在設定されていないディスプレイモードを選択し（Ｓ２）、図３に示すように、このディスプレイモードに基づく映像（画像）を現在設定されているディスプレイモードに基づく映像（画像）とともに縮小して並べたモード選択用画像の出力を開始する（Ｓ３）。なお、図３の紙面左側の映像が現在設定されているディスプレイモードに基づく映像であり、紙面右側の映像が選択候補のディスプレイモードに基づく映像である。また、図３は、画格が４：３の映像に基づいて表示している。
【００２９】
選択候補のディスプレイモードの選択は、例えば予め選択すべきディスプレイモードの順番を設定し、現在選択候補となっているディスプレイモードの次順のモードを選択する。また、設定変更の開始時点では、選択候補のディスプレイモードが選択されていないので現在設定されているディスプレイモードの次順のモードを選択する。本実施形態では、Ｌｅｔｔｅｒｂｏｘモード、Ｚｏｏｍモード、Ｆｕｌｌモードの順で予め設定されている。例えば、図３に示すように現在の設定がＦｕｌｌモードである場合、設定変更の開始時においては、選択候補のディスプレイモードは現在設定されているＦｕｌｌモードの次順のＬｅｔｔｅｒｂｏｘモードとなる。なお、この時の各ディスプレイモードに基づく映像は、ＳＴＢ１が受信した同一のディジタル放送の映像であり、動画像である。
【００３０】
Ｓ３においてモード選択用画像の出力が開始された後、リモコン装置等を介して設定変更のキャンセルが受け付けられたか否かを判断し（Ｓ４）、キャンセルが受け付けられたと判断した場合はモード選択用画像の出力を終了し（Ｓ８）、全体の処理を終了する。
【００３１】
一方、Ｓ４において、設定変更のキャンセルが受け付けられていないと判断した場合は、選択候補の変更要求を受け付けたか否かを判断する（Ｓ５）。例えば、図３に示す選択候補のＬｅｔｔｅｒｂｏｘモードに基づく映像では気に入らず、他のディスプレイモードを見たい場合に、ユーザがリモコン装置等を操作して変更要求を行う。
【００３２】
Ｓ５において変更要求を受け付けたと判断した場合は、Ｓ２の処理に移行する。例えば、図３（図４（Ａ））に示す状態から変更要求を受け付けた際は、図４（Ｂ）に示すようにＬｅｔｔｅｒｂｏｘの次順のＺｏｏｍモードに基づく映像を含むモード選択用画像が出力される。
【００３３】
一方、制御部２は、Ｓ５において変更要求を受け付けていないと判断した場合、現在設定されているディスプレイモードから選択候補のディスプレイモードへの設定変更の決定を受け付けたか否かを判断し（Ｓ６）、決定を受け付けてないと判断した場合はＳ４の処理に移行する。
【００３４】
また、Ｓ６において決定を受け付けたと判断した場合は、決定されたディスプレイモードを記憶部１０に格納し（Ｓ７）、モード選択用画像の出力を終了する（Ｓ８）。これにより、ディスプレイモードの設定が変更される。なお、決定は、リモコン装置等を介して操作部９が受け付ける。その後、全体の処理を終了し、設定変更されたディスプレイモードに基づいて映像がテレビ受像機２０に出力される。したがって、操作部９が本発明の受付手段、選択手段、決定手段に相当する。
【００３５】
例えば、図５（Ａ）に示すように、選択候補のディスプレイモードがＬｅｔｔｅｒｂｏｘモードである状態でユーザによる決定の操作が行われると、図５（Ｂ）に示すように設定変更されたＬｅｔｔｅｒｂｏｘモードに基づいて受信した映像が出力される。なお、図５は、画格が４：３の映像に基づいて表示している。
【００３６】
以上のように、現在設定されているディスプレイモード及び設定されていない他のディスプレイモードに基づく映像を並べたモード選択用画像を出力することで、現在設定されているディスプレイモードに基づく画像と、他のディスプレイモードに基づく画像とを実際にユーザが見て比較することができ、ユーザが表示モードを選択し易くなる。
【００３７】
また、動画像においては、静止画像ではなく動画像のモード選択用画像を出力しているので、ユーザが映像をより比較し易く、表示モードをより選択し易くなる。
【００３８】
本実施形態では、ディスプレイモードの設定変更の開始を受け付けた際においてモード選択用画像を出力しているが、例えば受信している映像の画格が変更された場合にユーザにディスプレイモードを最適なモードに変更するように促すべく、再生途中にモード選択用画像を出力してもよい。
【００３９】
具体的には、画格４：３の映像を受信中で、且つＦｕｌｌモードが設定されている状態において画格１６：９の映像を受信した際、ＦｕｌｌモードよりもＬｅｔｔｅｒｂｏｘモードが最適であるので、これらディスプレイモードに基づくモード選択用画像を出力する。
【００４０】
また、本実施形態では、現在設定されているディスプレイモードに基づく映像と、選択候補のディスプレイモードに基づく映像とを並べたモード選択用画像を出力しているが、図６に示すようにＳＴＢ１が対応している全てのディスプレイモードに基づく映像を並べたモード選択用画像を出力してもよい。なお、図６は、現在設定されているディスプレイモードに基づく映像が紙面左側に位置し、ＳＴＢ１が対応する３種類のディスプレイモードに基づくディスプレイモードが紙面右側に位置している。
【００４１】
ユーザは、リモコン装置等を操作して３種類のディスプレイモードから希望するモードを選択する。
【００４２】
これによって、全てのディスプレイモードに基づく映像をユーザが実際に見て比較することができるので、ユーザが表示モードをより選択し易くなる。なお、図６では、紙面左側に現在設定されているＦｕｌｌモードに基づく映像を重複して表示しているが、重複表示しなくてもよい。また、図６は、画格が４：３の映像に基づいて表示している。
【００４３】
ＳＴＢ１が対応するディスプレイモードの種類の数が多く、全てのディスプレイモードに基づく映像を１画面に表示することができない場合は、例えば希望するディスプレイモードをリモコン装置等でユーザに選択させ、選択されたディスプレイモードに基づく映像のみを出力してもよい。
【００４４】
また、本実施形態では、ＳＴＢ１について説明したが、テレビに内臓されているチューナや、ＤＶＤ再生装置等の画像出力装置についても適用可能である。
【図面の簡単な説明】
【００４５】
【図１】この発明の実施形態に係るＳＴＢの主要部の構成を示すブロック図である。
【図２】同ＳＴＢのディスプレイモードの設定変更の手順を示す流れ図である。
【図３】モード選択用画像の構成を示す図である。
【図４】モード選択用画像における次候補のディスプレイモードを変更した際のモード選択用画像の変化の説明図である。
【図５】モード選択用画像における次候補のディスプレイモードをＳＴＢの設定として変更した際の選択用画像の変化の説明図である。
【図６】モード選択用画像の構成を示す図である。
【図７】従来のディスプレイモード設定変更画面を示す説明図である。
【図８】従来のディスプレイモードを設定変更した際の画面の変化を示す説明図である。
【符号の説明】
【００４６】
１−ＳＴＢ
２−制御部
４−デコーダ
６−合成映像部
８−映像出力部
９−操作部
２０−テレビ受像機
【図１】
0004821253.tif 000002
【図２】
0004821253.tif 000003
【図３】
0004821253.tif 000004
【図４】
0004821253.tif 000005
【図５】
0004821253.tif 000006
【図６】
0004821253.tif 000007
【図７】
0004821253.tif 000008
【図８】
0004821253.tif 000009